(57)【要約】      （修正有）【課題】ピストンポンプのピストンロッドにあって、実用性の高いストローク量調整機構を提供する。【解決手段】雄ネジ形成部材５２と、雄ネジ形成部材と噛合する雌ネジ形成部材５４とを備え、雄ネジ形成部材にピストンポンプのピストンロッドが当接することで、ストローク量を制限し、雄ネジ形成部材の雌ネジ形成部材へのねじ込み量を調整することで、ストローク量を調整するストローク量調整機構を構成する。さらに、押圧子７８を付勢するプランジャ７６を設け、押圧子が、雄ネジ形成部材の雌ネジ形成部材へのねじ込みに伴って、雄ネジ形成部材の外周面に形成された溝６２に嵌合する状態と嵌合しない状態とを繰り返すようにする。この構成により、操作者は、プランジャの音，振動，操作感の変動等によって、雄ネジ形成部材の操作量、つまり、ストローク量の調整量を認識することが可能となり、ピストンポンプによる吐出量を適切に調整することが可能となる。【選択図】図６
0003174771.tif 000002
【実用新案登録請求の範囲】
【請求項１】
雄ネジが形成された雄ネジ形成部材と、
筒状をなし、前記雄ネジと噛合する雌ネジが形成された雌ネジ形成部材とを備え、
前記雄ネジ形成部材にピストンポンプのピストンロッドが当接することで、前記ピストンロッドのストローク量を制限するとともに、前記雄ネジ形成部材の前記雌ネジ形成部材へのねじ込み量を調整することで、前記ピストンロッドのストローク量を調整するストローク量調整機構であって、
当該ストローク量調整機構が、
前記雌ネジ形成部材の筒状内周面に露出するよう前記雌ネジ形成部材に設けられ、前記雄ネジと前記雌ネジとが螺合した状態の前記雄ネジ形成部材の外周面を弾性的に押圧する押圧子を有するプランジャを備えるとともに、
前記雄ネジ形成部材の外周面に形成された溝を備え、
前記押圧子が、前記雄ネジ形成部材の前記雌ネジ形成部材へのねじ込みに伴って、前記溝に嵌合する状態と嵌合しない状態とを繰り返すことを特徴とするストローク量調整機構。
【請求項２】
前記溝が、
前記雄ネジ形成部材のねじ込み方向に延びるように、前記雄ネジ形成部材の外周面に形成されたことを特徴とする請求項１に記載のストローク量調整機構。
【請求項３】
前記溝が、
複数本からなり、互いに等間隔で平行に形成されていることを特徴とする請求項１または請求項２に記載のストローク量調整機構。
【請求項４】
前記溝が、
前記雄ネジが形成されていない前記雄ネジ形成部材の外周面に形成されたことを特徴とする請求項１ないし請求項３のいずれか１つに記載のストローク量調整機構。
【請求項５】
前記雄ネジ形成部材が、
前記雄ネジ形成部材の前記雌ネジ形成部材へのねじ込み時に、操作者が把持する大径部を有することを特徴とする請求項１ないし請求項４のいずれか１つに記載のストローク量調整機構。
【請求項６】
前記プランジャが、
筒状のハウジングと、自身の一部が前記ハウジングから突出した状態で前記ハウジングに保持される前記押圧子と、その押圧子を前記ハウジングから突出する方向に付勢する弾性体とを有し、前記雌ネジ形成部材をそれの径方向に貫通する貫通孔に設けられることを特徴とする請求項１ないし請求項５のいずれか１つに記載のストローク量調整機構。
【考案の詳細な説明】
【技術分野】
【０００１】
本考案は、ピストンポンプの有するピストンロッドのストローク量を調整するストローク量調整機構に関する。
【背景技術】
【０００２】
ピストンポンプは、シリンダ内に設けられたピストンロッドがそれの軸方向に往復移動することで、ピストンロッドのストローク量に応じた量の液体を吐出する構造とされている。このため、ピストンロッドのストローク量を調整することで、１回のピストンロッドのストロークによって吐出される液体の量を調整することが可能となっており、吐出量の調整を適切に行うべく、下記特許文献に記載されているように、ピストンロッドのストローク量を調整可能なストローク量調整機構の開発が進められている。
【先行技術文献】
【特許文献】
【０００３】
【特許文献１】特開２００３−３５２６８号公報
【特許文献２】特開平７−３５７７４号公報
【考案の概要】
【考案が解決しようとする課題】
【０００４】
上記特許文献に記載されているストローク量調整機構によれば、ピストンロッドのストローク量を調整することは可能であるが、改良の余地を多分に残しており、種々の改良を施すことで、ストローク量調整機構の実用性を高くすることが可能である。本考案は、そのような実情に鑑みてなされたものであり、実用性の高いストローク量調整機構を提供することを課題とする。
【課題を解決するための手段】
【０００５】
上記課題を解決するために、本考案のストローク量調整機構は、雄ネジが形成された雄ネジ形成部材と、筒状をなし、前記雄ネジと噛合する雌ネジが形成された雌ネジ形成部材とを備え、前記雄ネジ形成部材にピストンポンプのピストンロッドが当接することで、前記ピストンロッドのストローク量を制限するとともに、前記雄ネジ形成部材の前記雌ネジ形成部材へのねじ込み量を調整することで、前記ピストンロッドのストローク量を調整するストローク量調整機構であって、当該ストローク量調整機構が、前記雌ネジ形成部材の筒状内周面に露出するよう前記雌ネジ形成部材に設けられ、前記雄ネジと前記雌ネジとが螺合した状態の前記雄ネジ形成部材の外周面を弾性的に押圧する押圧子を有するプランジャを備えるとともに、前記雄ネジ形成部材の外周面に形成された溝を備え、前記押圧子が、前記雄ネジ形成部材の前記雌ネジ形成部材へのねじ込みに伴って、前記溝に嵌合する状態と嵌合しない状態とを繰り返すように構成される。
【考案の効果】
【０００６】
本考案のストローク量調整機構では、雄ネジ形成部材の外周面に、溝が形成されており、雄ネジ形成部材の回転操作に伴って、その溝に、プランジャの押圧子が嵌合するように構成されている。このため、雄ネジ形成部材の操作者は、プランジャの作動音，プランジャの作動による雄ネジ形成部材の振動，操作感の変動等により、雄ネジ形成部材の調整量を認識しつつ、ピストンロッドのストローク量を調整することが可能となっている。
【０００７】
具体的には、操作者が雄ネジ形成部材を回転操作すると、プランジャの押圧子が溝に嵌合し、押圧子の当接音が発生する場合がある。また、押圧子の当接による振動が、操作者の指に伝達する場合がある。さらに、押圧子が溝に嵌合していない場合、つまり、押圧子が、雄ネジ形成部材の溝以外の部分に接触している場合に、操作者は、雄ネジ形成部材を円滑に回転操作することが可能であるが、押圧子が溝に嵌合すると、雄ネジ形成部材を回転操作し難くなる。つまり、押圧子が溝に嵌合すると、雄ネジ形成部材の操作感が変動する。
【０００８】
このように、操作者は、音，振動，操作感の変動等により、雄ネジ形成部材を特定の量、回転操作したことを認識しつつ、雄ネジ形成部材を回転操作することが可能となっている。これにより、操作者は、ピストンロッドのストローク量の調整量を認識しつつ、雄ネジ形成部材を回転操作することが可能となる。したがって、本考案のストローク量調整機構によれば、ピストンポンプによる吐出量を適切に調整することが可能となり、ストローク量調整機構の実用性を高くすることが可能となる。
【図面の簡単な説明】
【０００９】
【図１】実施例のストローク量調整機構を備えるピストンポンプを示す概略平面図である。
【図２】図１のピストンポンプを分解した状態で示す概略平面図である。
【図３】ストローク量調整機構の有するアジャスタを示す概略平面図である。
【図４】図３に示すＡＡ線における断面図である。
【図５】ストローク量調整機構の有するアジャスタブロックおよびプランジャを示す断面図である。
【図６】アジャスタブロックとアジャスタとプランジャと操作リングとロックリングとが組み付けられた状態のストローク量調整機構を示す断面図である。
【考案を実施するための形態】
【００１０】
以下、本考案を実施するための形態として、本考案の実施例を、図を参照しつつ詳しく説明する。
【００１１】
本考案の実施例であるストローク量調整機構１０を備えたピストンポンプ１２を、図１および図２に示す。ピストンポンプ１２は、ピストンロッド１４の１回の往復移動によって、特定量の液体を吐出するものであり、ストローク量調整機構１０によって、ピストンロッド１４のストローク量を調整することで、ピストンポンプ１２による１回の吐出量を調整することが可能となっている。ちなみに、図１は、ピストンポンプ１２の外観平面図であり、図２は、分解した状態のピストンポンプ１２の平面図である。
【００１２】
ピストンポンプ１２は、ピストンロッド１４と、そのピストンロッド１４が内部を往復移動するシリンダ１６と、ストローク量調整機構１０と、そのストローク量調整機構１０とシリンダ１６とを連結する連結部材１８とを備えている。ピストンロッド１４は、中央部に大径部２０を有する段付形状とされており、その大径部２０と、大径部２０より一端部側に位置する延出部２２と、大径部２０より他端部側に位置するピストン部２４とによって構成されている。また、シリンダ１６内には、ピストンロッド１４のピストン部２４の外径より僅かに大きな径の圧力室２６が形成されており、その圧力室２６にピストン部２４が挿入されている。これにより、ピストンロッド１４が往復移動することで、ピストン部２４が、圧力室２６内を摺動する。
【００１３】
圧力室２６には、配管３０が接続されており、配管３０には、配管３０内から圧力室２６内への液体の逆流を禁止する逆止弁３２が設けられている。圧力室２６には、さらに、配管３４が接続されており、配管３４には、圧力室２６内から配管３４内への液体の逆流を禁止する逆止弁３６が設けられている。このような構造により、ピストン部２４が圧力室２６内から退出していく方向（図１での右方向）にピストンロッド１４が移動すると、配管３４から圧力室２６に液体が送り込まれ、ピストン部２４が圧力室２６内に進入していく方向（図１での左方向）にピストンロッド１４が移動すると、圧力室２６から配管３０に液体が送り込まれる。
【００１４】
また、ストローク量調整機構１０は、外周面に雄ネジが形成されたアジャスタ５２と、そのアジャスタ５２が組み付けられるアジャスタブロック５４とを備えている。アジャスタ５２は、図３に示すように、概して円筒形状とされており、外周面において段付形状とされている。具体的には、一端部側に位置し、最も径の大きなヘッド部５６と、他端部側に位置し、最も径の小さなリング固定部５８と、ヘッド部５６とリング固定部５８との間に位置し、雄ネジが形成された雄ネジ形成部６０とに区分けされる段付形状とされている。ヘッド部５６の外周面には、図３および、図３のＡＡ線における断面図である図４に示すように、アジャスタ５２の軸方向に延びるように、１対の溝６２が形成されており、それら１対の溝６２は、ヘッド部５６の外周面の２等配の位置に形成されている。
【００１５】
また、アジャスタ５２の内径は、ピストンロッド１４の延出部２２の外径よりは大きいが、大径部２０の外径より小さくされている。これにより、ピストンロッド１４の延出部２２が、アジャスタ５２のヘッド部５６側から挿入され、アジャスタ５２内を貫通し、大径部２０が、アジャスタ５２のヘッド部５６側の端部に当接するようになっている。
【００１６】
また、アジャスタブロック５４は、図５に示すように、概して円筒形状とされており、内周面において段付形状とされている。具体的には、アジャスタブロック５４の内周面は、一端部側に位置し、アジャスタ５２のヘッド部５６の外径より僅かに大きな内径のヘッド挿入部６４と、他端部側に位置し、雌ネジが形成された雌ネジ形成部６６と、その雌ネジ形成部６６とヘッド挿入部６４とを連結する連結部６８とに区分けされる段付形状とされている。そして、図６に示すように、アジャスタブロック５４のヘッド挿入部６４に、リング固定部５８側からアジャスタ５２が挿入されることで、該ヘッド挿入部６４にヘッド部５６が挿入されるとともに、雌ネジ形成部６６の雌ネジに、雄ネジ形成部６０の雄ネジが螺合しており、リング固定部５８とリング固定部５８に連続する雄ネジ形成部６０の一部が、アジャスタブロック５４の外部に延び出している。
【００１７】
アジャスタブロック５４の外部に延び出しているリング固定部５８および雄ネジ形成部６０には、アジャスタ５２を回転操作するための操作リング７０と、アジャスタ５２をロックするためのロックリング７２とが設けられている。詳しくは、操作リング７０の内径は、リング固定部５８の外径と略同じとされており、操作リング７０内にリング固定部５８が固定的に嵌入されている。これにより、操作者が操作リング７０を回転操作することで、アジャスタ５２のアジャスタブロック５４へのねじ込み量を調整することが可能となっている。また、ロックリング７２の内周面には、雌ネジ形成部６６の雌ネジに螺合可能な雌ネジが形成されており、ロックリング７２をアジャスタブロック５４に向かってねじ込むことで、アジャスタ５２をロックすることが可能となっている。
【００１８】
また、アジャスタブロック５４には、図５に示すように、１対の貫通孔７４が形成されている。１対の貫通孔７４は、径方向に延びるとともに、２等配の位置に形成されており、アジャスタブロック５４のヘッド挿入部６４に開口している。１対の貫通孔７４の各々には、図６に示すように、プランジャ７６が固定的に嵌入されており、プランジャ７６のプランジャロッド７８の先端部が、ヘッド挿入部６４内に延び出し、アジャスタ５２のヘッド部５６の外周面に当接している。
【００１９】
具体的には、プランジャ７６は、有底円筒形状のプランジャハウジング８０と、そのプランジャハウジング８０内において軸方向に移動可能に保持されるプランジャロッド７８と、プランジャハウジング８０の底部とプランジャロッド７８との間に圧縮した状態で設けられたコイルスプリング８２とを有している。プランジャロッド７８は、コイルスプリング８２の弾性力によって、プランジャハウジング８０から突出する方向に付勢されており、プランジャロッド７８の先端部が、プランジャハウジング８０の先端部から突出している。なお、プランジャハウジング８０の先端部は、僅かにカシメられており、プランジャロッド７８がプランジャハウジング８０から脱落しないようにされている。
【００２０】
上記構造のプランジャ７６が、アジャスタ５２が組み付けられたアジャスタブロック５４の貫通孔７４に固定的に嵌入されており、貫通孔７４に嵌入されたプランジャ７６のプランジャロッド７８の先端部は、アジャスタ５２のヘッド部５６に当接し、その当接によって、コイルスプリング８２が圧縮されている。これにより、アジャスタ５２のヘッド部５６は、コイルスプリング８２の弾性力に付勢されたプランジャロッド７８の先端部によって押圧されている。
【００２１】
上記プランジャ７６，アジャスタ５２，アジャスタブロック５４等が一体的に組み付けられたストローク量調整機構１０は、図１に示すように、連結部材１８を介して、内部にピストンロッド１４が挿入された状態のシリンダ１６に固定的に連結されている。ピストンロッド１４の延出部２２は、アジャスタ５２内に挿入されており、延出部２２の先端部が、ストローク量調整機構１０の外部に延び出している。また、ピストンロッド１４の大径部２０の外径は、アジャスタブロック５４のヘッド挿入部６４の内径より小さくされており、ピストンロッド１４の大径部２０が、アジャスタブロック５４のヘッド挿入部６４内に挿入されている。なお、連結部材１８には、ピストンロッド１４のピストン部２４の外径より大きく、大径部２０の外径より小さい径の貫通孔８６が形成されており、その貫通孔８６をピストン部２４が貫通している。
【００２２】
さらに、ピストンポンプ１２は、ピストンロッド１４をそれの軸方向に往復移動させるためのロッド移動装置（図示省略）を備えている。ロッド移動装置は、ピストンロッド１４のストローク量調整機構１０から延び出す延出部２２に設けられており、その装置の作動によって、ピストンロッド１４がそれの軸方向に往復移動させられる。これにより、ピストンポンプ１２は、液体を配管３４から圧力室２６内に吸い込み、その吸い込んだ液体を圧力室２６から配管３０に送り込むことが可能とされている。
【００２３】
具体的には、ロッド移動装置の作動により、ピストンロッド１４がピストンポンプ１２内から引き出される方向（図１での右方向）に移動すると、配管３４から圧力室２６に液体が送り込まれる。そして、ピストンロッド１４の大径部２０が、アジャスタ５２のヘッド部５６に当接することで、ピストンロッドの移動が制限される。次に、ロッド移動装置の作動方向が反転されることで、ピストンロッド１４がピストンポンプ１２内に入り込む方向（図１での左方向）に移動し、圧力室２６から配管３０に液体が送り込まれる。そして、ピストンロッド１４の大径部２０が、連結部材１８に当接することで、ピストンロッドの移動が制限される。つまり、ピストンロッド１４の１回のストロークによって、ピストンロッド１４の大径部２０がアジャスタ５２に当接した位置から大径部２０が連結部材１８に当接する位置までのピストンロッド１４の移動量に応じた量の液体が、配管３０に吐出されるようになっている。
【００２４】
また、ストローク量調整機構１０を調整することで、ピストンポンプ１２による吐出量を調整することが可能とされている。具体的には、操作者がストローク量調整機構１０の操作リング７０を回転操作することで、アジャスタ５２のアジャスタブロック５４へのねじ込み量を調整し、アジャスタ５２のヘッド部５６の位置を調整する。これにより、ピストンロッド１４のストローク量が調整され、ピストンポンプ１２による吐出量が調整される。この際に、操作者は、プランジャの作動音，プランジャの作動による操作リング７０の振動，操作感の変動等により、アジャスタ５２のヘッド部５６の位置の調整量を認識しつつ、操作リング７０を回転操作することが可能となっている。
【００２５】
具体的には、操作者が操作リング７０を回転操作すると、操作リング７０が１／２回転操作される毎に、プランジャ７６のプランジャロッド７８の先端部が、アジャスタ５２のヘッド部５６に形成された溝６２内に入り込む。プランジャロッド７８の先端部が溝６２内に入り込む際には、プランジャロッド７８の先端部が溝６２内に当接し、音が発生する場合がある。また、プランジャロッド７８の先端部の当接による振動が、操作リング７０に伝達する場合がある。さらに言えば、プランジャロッド７８の先端部が溝６２内に入り込んでいない場合、つまり、プランジャロッド７８の先端部が、ヘッド部５６の溝６２以外の部分に接触している場合に、操作者は、操作リング７０を円滑に回転操作することが可能であるが、プランジャロッド７８の先端部が溝６２内に入り込むと、操作リング７０を回転操作し難くなる。つまり、プランジャロッド７８の先端部が溝６２内に入り込むと、操作リング７０の操作感が変動する。
【００２６】
このように、操作者は、音，振動，操作感の変動等により、操作リング７０を１／２回転操作したことを認識しつつ、操作リング７０を回転操作することが可能となっている。つまり、操作者が音，振動，操作感の変動等を１回認識する毎に、アジャスタ５２は、雄ネジ形成部６０の雄ネジのネジピッチの１／２に相当する距離を移動させられ、その距離に相当する量のピストンポンプ１２による吐出量が調整されているのである。これにより、操作者は、ピストンポンプ１２による吐出量の調整量を認識しつつ、操作リング７０を回転操作することが可能となっており、ピストンポンプ１２による吐出量を適切に調整することが可能となっている。
【００２７】
また、ストローク量調整機構１０では、アジャスタ５２に比較的径の大きな操作リング７０が固定されており、その操作リング７０を操作者が回転操作することで、ピストンポンプ１２による吐出量を調整することが可能となっている。つまり、操作者は、工具等を用いることなく、ピストンポンプ１２による吐出量を調整することが可能となっており、便利である。さらに、アジャスタ５２に形成される溝６２は、雄ネジの形成されていないヘッド部５６に形成されており、雄ネジ形成部６０の雄ネジと雌ネジ形成部６６の雌ネジとの円滑な螺合を担保することが可能となっている。
【００２８】
ちなみに、上記実施例において、ピストンポンプ１２はピストンポンプの一例であり、ピストンロッド１４はピストンロッドの一例であり、ストローク量調整機構１０はストローク量調整機構の一例である。そのストローク量調整機構１０のアジャスタ５２と操作リング７０とによって構成されるものは、雄ネジ形成部材の一例であり、アジャスタブロック５４は雌ネジ形成部材の一例であり、プランジャ７６はプランジャの一例であり、操作リング７０は大径部の一例である。さらに、プランジャ７６のプランジャロッド７８は押圧子の一例であり、プランジャハウジング８０はハウジングの一例であり、コイルスプリング８２は弾性体の一例であり、アジャスタ５２に形成された溝６２は、溝の一例である。
【００２９】
なお、本考案は、上記実施例に限定されるものではなく、当業者の知識に基づいて種々の変更、改良を施した種々の態様で実施することが可能である。具体的には、例えば、上記実施例では、アジャスタ５２の回転操作時にプランジャロッド７８の先端部が入り込む溝６２は、アジャスタ５２のヘッド部５６に２本形成されているが、さらに多くの溝を形成してもよい。多くの溝を形成することで、ピストンポンプ１２の吐出量を細かく調整することが可能となる。
【００３０】
また、上記実施例では、ピストンロッド１４の中央部に形成された大径部２０が、アジャスタ５２に当接することで、ピストンロッド１４のストローク量が制限されているが、ピストンロッド１４の端部をアジャスタ５２に当接させることで、ピストンロッド１４のストローク量を制限してもよい。
【００３１】
また、上記実施例では、１対の貫通孔７４に１対のプランジャ７６が嵌入されているが、１対の貫通孔７４の一方のみに１つのプランジャ７６を嵌入してもよい。このように、１つのプランジャ７６であっても、上記実施例と同様の効果を期待できる。なお、１対の貫通孔７４の一方のみにプランジャ７６を嵌入し、他方にはプランジャ７６を嵌入しないことで、その他方の貫通孔７４へのアクセスを考慮する必要が無くなり、他方の貫通孔７４の周辺に何らかの部材を配置することが可能となる。具体的には、例えば、２つのピストンポンプ１２を並列に配置することが可能となる。
【００３２】
以下、本考案の諸態様について列記する。
【００３３】
（１）雄ネジが形成された雄ネジ形成部材と、
筒状をなし、前記雄ネジと噛合する雌ネジが形成された雌ネジ形成部材とを備え、
前記雄ネジ形成部材にピストンポンプのピストンロッドが当接することで、前記ピストンロッドのストローク量を制限するとともに、前記雄ネジ形成部材の前記雌ネジ形成部材へのねじ込み量を調整することで、前記ピストンロッドのストローク量を調整するストローク量調整機構であって、
当該ストローク量調整機構が、
前記雌ネジ形成部材の筒状内周面に露出するよう前記雌ネジ形成部材に設けられ、前記雄ネジと前記雌ネジとが螺合した状態の前記雄ネジ形成部材の外周面を弾性的に押圧する押圧子を有するプランジャを備えるとともに、
前記雄ネジ形成部材の外周面に形成された溝を備え、
前記押圧子が、前記雄ネジ形成部材の前記雌ネジ形成部材へのねじ込みに伴って、前記溝に嵌合する状態と嵌合しない状態とを繰り返すことを特徴とするストローク量調整機構。
【００３４】
（２）前記溝が、
前記雄ネジ形成部材のねじ込み方向に延びるように、前記雄ネジ形成部材の外周面に形成されたことを特徴とする(1)項に記載のストローク量調整機構。
【００３５】
（３）前記溝が、
複数本からなり、互いに等間隔で平行に形成されていることを特徴とする(1)項または(2)項に記載のストローク量調整機構。
【００３６】
（４）前記溝が、
前記雄ネジが形成されていない前記雄ネジ形成部材の外周面に形成されたことを特徴とする(1)項ないし(3)項のいずれか１つに記載のストローク量調整機構。
【００３７】
（５）前記雄ネジ形成部材が、
前記雄ネジ形成部材の前記雌ネジ形成部材へのねじ込み時に、操作者が把持する大径部を有することを特徴とする(1)項ないし(4)項のいずれか１つに記載のストローク量調整機構。
【００３８】
（６）前記プランジャが、
筒状のハウジングと、自身の一部が前記ハウジングから突出した状態で前記ハウジングに保持される前記押圧子と、その押圧子を前記ハウジングから突出する方向に付勢する弾性体とを有し、前記雌ネジ形成部材をそれの径方向に貫通する貫通孔に設けられることを特徴とする(1)項ないし(5)項のいずれか１つに記載のストローク量調整機構。
【符号の説明】
【００３９】
１０：ストローク量調整機構    １２：ピストンポンプ    １４：ピストンロッド    ５２：アジャスタ（雄ネジ形成部材）    ５４：アジャスタブロック（雌ネジ形成部材）    ６２：溝    ７０：操作リング（雄ネジ形成部材）（大径部）    ７６：プランジャ    ７８：プランジャロッド（押圧子）    ８０：プランジャハウジング（ハウジング）    ８２：コイルスプリング（弾性体）
【図１】
0003174771.tif 000003
【図２】
0003174771.tif 000004
【図３】
0003174771.tif 000005
【図４】
0003174771.tif 000006
【図５】
0003174771.tif 000007
【図６】
0003174771.tif 000008